(57)【特許請求の範囲】
【請求項１】
第１の側と第２の側を含む、挿入部と、
電流の受電と通電に有効であり、かつ装置の電源への固定に有効である、電極と、
第１の端部が前記挿入部に接続された、ベースと、
前記ベースに取り付けられて、前記電極に電気的に結合された、ファンと、
充填カラムと通気口とを含むカラーであって、
前記充填カラムはポートを含み、
前記ベースの第２の端部は前記カラーの第１の端部への取付けに有効であり、
前記ポートは前記電極に電気的に結合され、
前記通気口は前記ファンで送風される空気の前記カラーを介する流通に有効であり、
前記カラーは芳香を浸透させたリング形の材料を保持できる寸法と形状である、
カラーと、
キャップであって、前記キャップはリング形断面を有して前記カラーの第２の端部の周りで前記カラーに接続可能な寸法と形状となっており、前記キャップが前記カラーに接続されると前記充填カラムの前記ポートがアクセス可能となるようになっている、キャップと
を備える装置。
【請求項２】
前記電極は車両のたばこライターソケットの電極に整列して接続するように構成されている、請求項１に記載の装置。
【請求項３】
前記電極は、電気差し込み口の電極に整列して接続するように構成されている、請求項１に記載の装置。
【請求項４】
前記芳香を浸透させた前記材料には、液体の油、ジェル又は固体が含まれ、前記材料は平坦なリング形状である、請求項１に記載の装置。
【請求項５】
前記通気口は第１の通気口であり、前記キャップが前記芳香を放散させるのに有効な第２の通気口を含む、請求項１に記載の装置。
【請求項６】
前記ベースはカップホルダに中にしっかり嵌るような寸法と形状であり、前記ベースの前記第１の端部が前記挿入部にワイヤで取り付けられる、請求項１に記載の装置。
【請求項７】
前記ベースは前記ベースの第２の側にねじ山を有し、
前記カラーは、前記カラーを前記ベースに固定するために前記ねじ山にねじ込まれるようになっている、請求項１に記載の装置。
【請求項８】
前記ベースは、前記ベースの前記第１の端部に空気取入れ口を含むような寸法と形状であり、前記空気取入れ口は空気が前記ベースに出入りするのに有効である、請求項１に記載の装置。
【請求項９】
前記カラーは前記カラーの前記第２の端部にねじ山を有し、
前記キャップは、前記キャップを前記カラーに固定するために前記ねじ山にねじ止めされるようになっている、請求項８に記載の装置。
【請求項１０】
第１の側と第２の側を含む、挿入部と、
電流の受電と通電に有効である、電極と、
ベースであって、カップホルダ内にしっかりと嵌るような寸法と形状であって、ワイヤによって前記挿入部に取り付けられた、べースと、
カラーであって、前記カラーは充填カラムと加熱カラムとを含み、前記充填カラムはポートを含み、
前記ベースは前記カラーの第１の端部への取付けに有効であり、
前記ポートは前記電極に電気的に結合され、
前記加熱カラムは芳香を浸透させたリング形状の材料の加熱に有効であり、
前記カラーは前記リング形状の材料を保持できる寸法と形状である、
カラーと、
キャップであって、前記キャップはリング状の断面を有し、前記キャップを前記カラーに接続した場合に前記充填カラムの前記ポートがアクセス可能となるように前記カラーの第２の端部の周りで前記カラーに接続可能な寸法と形状となっている、キャップと
を備える装置。
【請求項１１】
前記電極は車両のたばこライターソケットの電極に整列して接続されるように構成されている、請求項１０に記載の装置。
【請求項１２】
前記電極は、電気差し込み口の電極に整列して接続されるように構成されている、請求項１０に記載の装置。
【請求項１３】
前記芳香を浸透させた前記材料には、液体の油、ジェル又は固体が含まれ、前記材料は平坦なリング形状である、請求項１０に記載の装置。
【請求項１４】
前記キャップは前記芳香を放散させるのに有効な通気口を含む、請求項１０に記載の装置。
【請求項１５】
前記キャップを前記カラーの前記第１の端部へロック機構により取り付けることをさらに含み、前記ロック機構は前記カラーの前記第１の端部に突起を含み、前記キャップが前記突起の上への嵌り込みに有効となっている、請求項１０に記載の装置。
【請求項１６】
前記キャップを前記カラーの前記第１の端部へロック機構によって取り付けることをさらに含み、前記ロック機構は前記カラーの前記第１の端部にねじ山を含み、前記キャップが前記ねじ山にねじ込まれて前記キャップを前記カラーに固定する、請求項１０に記載の装置。
【請求項１７】
ファンをさらに備え、前記ファンは前記ベースに取り付けられ、かつ前記ファンは前記電極と電気的に結合されている、請求項１０に記載の装置。
【請求項１８】
前記カラーは通気口を含み、前記通気口は前記ファンで送風される空気が前記カラーを介して流通するのに有効である、請求項１７に記載の装置。
【請求項１９】
前記芳香を浸透させた前記材料はリング形状であり、前記加熱カラムは前記芳香を浸透させた前記リング形状の材料を前記加熱カラムの周囲に保持するような寸法と形状となっている、請求項１０に記載の装置。
【請求項２０】
材料から芳香を放散させる方法であって、
芳香を浸透させた材料をカラーの充填カラムの周りに配置するステップであって、前記カラーはベースの第１の端部とキャップとの間に配置され、前記ベースの第２の端部は挿入部に取り付けられ、前記挿入部は電源からの電流の受電と通電に有効な電極を含み、前記ベースは前記ベースに取り付けられたファンを含み、前記ファンは前記電極に電気的に結合している、ステップと、
前記キャップを前記カラーに取り付けるステップであって、前記キャップはリング形状の断面を有し、前記芳香を浸透させた前記材料の前記カラーへの固定に有効となっている、ステップと、
前記電極を前記電源に取り付けるステップと、
前記ファンの運転に有効な前記電流を前記ファンの前記電極から受電するステップであって、前記ファンは前記カラーの第１の通気口を介する空気の送風に有効であって前記材料からの前記芳香を前記キャップ内の第２の通気口を介して放散させる、ステップと、
を含む方法。
【発明の詳細な説明】
【技術分野】
【０００１】
関連出願の相互参照
本発明は２０１４年７月２５日出願の特許出願第１４／３４１，３８２号の一部継続出願であり、参照によりその全体を本願に援用する。
【背景技術】
【０００２】
空気清浄器は嫌な臭いを低減又は遮蔽して、心地よい匂いを放出する。空気清浄器は典型的には芳香の形態で快適な香りを放出する。空気清浄器には、スプレー、蝋燭、オイル、ジェル及びプラグインが含まれる。
【発明の概要】
【課題を解決するための手段】
【０００３】
一実施例を挙げて装置を概説する。いくつかの実施例において、装置には挿入部が含まれていてもよい。いくつかの実施例では、挿入部には第１の側と第２の側が含まれていてもよい。別のいくつかの実施例では、装置にはさらに電極が含まれていてもよい。様々な実施例では、電極は電流を受けて通電するのに有効であり、さらには装置を電源に固定するのに有効であってもよい。様々な実施例において、装置はさらにベースを含んでもよい。いくつかの実施例では、ベースの第１の端部が挿入部に取り付けられていてもよい。いくつかの実施例において、装置はさらにファンを含んでもよい。いくつかの実施例において、ファンはベースに取り付けられていてもよい。さらなるいくつかの実施例において、ファンは電極に電気的に結合されていてもよい。いくつかの実施例において、装置は充填カラムと通気口を含むカラーを含んでいてもよい。様々な実施例において、充填カラムにはポートが含まれていてもよい。他の様々な実施例において、ベースの第２の端部がカラーの第１の端部に取り付けられるようになっていてもよい。いくつかの実施例において、ポートは電極に電気的に結合されていてもよい。別のいくつかの実施例では、ファンで送風される空気を通気口がカラーを介して流通させるようになっていてもよい。さらなるいくつかの実施例では、カラーは芳香を浸透させたリング形状の材料を保持できるような寸法と形状であってもよい。様々な実施例において、装置はさらにキャップを含んでいてもよい。いくつかの実施例では、キャップはリング形状の断面を持っていてもよい。様々な実施例において、キャップは、カラーの第２の端部の周りでカラーに接続可能な寸法と形状となっていて、キャップがカラーに接続されているときに充填カラムのポートにアクセス可能となるようになっていてもよい。
【０００４】
別の実施例で装置を概説する。いくつかの実施例において、装置には挿入部が含まれていてもよい。いくつかの実施例では、挿入部には第１の側と第２の側が含まれていてもよい。さらなるいくつかの実施例では、装置には電極が含まれていてもよい。いくつかの実施例では、電極は電流を受電して通電するようになっていてもよい。いくつかの実施例において、装置はさらにベースを含んでもよい。ベースはカップホルダ内にしっかり嵌るような寸法と形状であってよい。他のいくつかの実施例では、ベースはワイヤによって挿入部に取り付けられてもよい。さらなる実施例においては、装置は充填カラムと加熱カラムを含むカラーを含んでいてもよい。様々な実施例において、充填カラムにはポートが含まれていてもよい。いくつかの実施例では、ベースはカラーの第１の端部に取り付けられるようになっていてもよい。他のいくつかの実施例において、ポートは電極に電気的に結合されていてもよい。さらなるいくつかの実施例では、加熱カラムは芳香を浸透させたリング形状の材料に熱を供給するようになっていてもよい。いくつかの実施例では、カラーはリング形状の材料を保持するような寸法と形状であってもよい。様々な実施例において、装置はさらにキャップを含んでもよい。いくつかの実施例では、キャップはリング形状の断面を持っていてもよい。キャップは、カラーの第２の端部の周りでカラーに接続可能な寸法と形状となっていて、キャップがカラーに接続されているときに充填カラムのポートにアクセス可能となるようであってもよい。
【０００５】
別の実施例において、材料から芳香を放散させる方法を概説する。いくつかの実施例では、この方法には、芳香を浸透させた材料をカラーの充填カラムの周りに配置することが含まれていてもよい。いくつかの実施例では、カラーはベースの第１の端部とキャップとの間に配置されてもよい。さらなるいくつかの実施例では、ベースの第２の端部が挿入部に取り付けられてもよい。様々な実施例において、挿入部には電源から電流を受電して通電するようになった電極が含まれていてもよい。さらなる様々実施例において、ベースにはベースに取り付けられたファンが含まれていてもよい。いくつかの実施例において、ファンは電極に電気的に結合されていてもよい。いくつかの実施例では、この方法にはさらにキャップをカラーに取り付けることが含まれていてもよい。いくつかの実施例では、キャップはリング形状の断面を有していて、芳香を浸透させた材料をカラーに固定するようになっていてもよい。他のいくつかの実施例では、この方法には更に電極を電源に取り付けることが含まれていてもよい。いくつかの実施例では、この方法にはさらにファンの運転するための電流をファンにある電極で受電することが含まれていてもよい。様々な実施例において、ファンはカラーの第１の通気口を通して空気を通風して、材料からの芳香をキャップの第２の通気口を介して放散させるようになっていてもよい。
【０００６】
上記の要約は説明のためだけのものであり、いかなる形にせよ制限することを意図するものではない。上記の説明的な態様、実施形態及び特徴に加え、更なる態様、実施形態及び特徴が図面及び以下の詳細な説明を参照することにより明らかとなるであろう。
【０００７】
本開示の上記及びその他の特徴は、添付の図面と併せた以下の説明及び添付の特許請求の範囲とからより完全に明らかとなるであろう。これらの図面は開示に従ういくつかの実施形態を示すだけであり、したがってその範囲を制限するものと考えるべきではない、という理解の下に、添付の図面を参照して追加的な特殊性と詳細を以って本開示を記述する。これらはすべて本発明の実施形態に従うものである。
【図面の簡単な説明】
【０００８】
【図１】空気清浄器の側面図である。
【図２】金属端子を有する空気清浄器の側面図である。
【図３】金属端子を有する空気清浄器の背面図である。
【図４】空気清浄器の２つのポートを示す正面図である。
【図５】空気清浄器の本体、ディスク及びキャップ覆いを示す斜視図である。
【図６】ファンと通気カラーを含む空気清浄器を示す斜視図である。
【図７】ファンと通気カラーを含む空気清浄器を示す別の斜視図である。
【図８】ファンと通気カラーと金属端子を含む空気清浄器を示す斜視図である。
【図９】カップホルダ内に嵌るように構成された空気清浄器の正面図である。
【図１０】カップホルダ内に嵌るように構成された空気清浄器の斜視図である。
【発明を実施するための形態】
【０００９】
以下の詳細な説明においては、その説明の一部を構成する添付の図面を参照する。図面においては、文脈上でそうでない限りは類似の符号は一般に類似の部品を表す。詳細な説明、図面及び特許請求の範囲において記述される例示的な実施形態は制限的であることを意図するものではない。他の実施形態が利用されてもよいし、本明細書における主題の趣旨又は範囲から乖離することなくその他の変更をすることが可能である。本明細書で一般的に記述され、添付の図面に表示される本開示の態様は、本明細書で明確に想定されているすべての多様な異なる構成に配置、置換、結合、分離及び／又は設計することが可能であることは容易に理解されるであろう。
【００１０】
図１は本発明の一実施形態による空気清浄器の側面図である。空気清浄器１０２は、外側部１３２に接続された挿入部１３０を備える本体１１２を含んでいてもよい。本体１１２の挿入部１３０は円筒形状であってもよく、また第１と第２の端部を持っていてもよい。挿入部１３０は第１の端部から軸方向に延びた正電極１０４を含んでいてもよい。挿入部１３０の第２の端部は外側部１３２に接続されていてもよい。挿入部１３０には挿入部１３０の側面から半径方向に延びる負電極１０６が含まれていてもよい。正電極１０４と負電極１０６を含む挿入部１３０は、車両にあるたばこのライター用ソケットのようなたばこライターソケットに空気清浄器１０２を差込んで、正電極１０４と負電極１０６がそれぞれ車両のたばこライターソケットの電極に整列して接続されるように配置されていてもよい。車両のたばこライターソケットから供給される電流は直流で、１２Ｖであってもよい。
【００１１】
外側部１３２は実質的に半球形状であって、キャップ１１６とベース１３４を含んでいてもよい。外側部１３２はベース１３４において挿入部１３０と軸方向に接続されていてもよい。ベース１３４は挿入部１３０よりも実質的に大きな半径を持った、実質的な円筒形状であってもよい。ベース１３４には第１と第２の側があってもよく、平坦な端部、ざらざらした端部であってもよいし、滑らかであってもよい。ベース１３４はベース１３４の第１の側で軸方向に半径に僅かな傾斜がついていてもよい。ベース１３４の第１の側は挿入部１３０の第２の側に取り付けられていてもよい。キャップ１１６はベース１３４の第２の側でベース１３４から軸方向に延びていてもよい。キャップ１１６は実質的に半球形状であり、平滑であって軸方向のベース１３４から離れる方向に沿って半径に傾斜がついていてもよい。キャップ１１６はキャップ１１６の中央に開口を持ったリング形状の断面であってもよく、キャップ１１６がベース１３４に接続されているときにベース１３４の第２の端部がそこに露出するようになっていてもよい。キャップ１１６には通気口１１０が含まれていてもよい。通気口１１０は、格子がついているか、溝が切られているか、網が掛けられているか、又はキャップ１１６の内部とキャップ１１６の外部との間を空気が流れることができるようなその他の任意の構造となっていてもよい。
【００１２】
図２は本発明の一実施形態による、金属端子を持つ空気清浄器１０２の側面図である。図１の部品と同じ符号のついた図２の部品は、簡潔とするために説明を繰り返さない。別の実施形態では挿入部１３０がベース１３４から軸方向に延びる金属突起又は端子の電極１４０を含んでいてもよい。金属端子１８０は、空気清浄器１０２を電気ソケットに差込むことができるようになっていてもよい。金属端子１４０を電気ソケットに差込むと、空気清浄器１０２が電気ソケットに固定されてもよい。金属端子１８０を電気ソケットに差込むと、金属端子１８０、そして空気清浄器１０２へと電流が供給される。
【００１３】
図３は本発明の一実施形態による、金属端子を持つ空気清浄器１０２の背面図である。ここでも図１〜図２の部品と同じ符号のついた図３の部品は、簡潔のために説明を繰り返さない。挿入部１３０の金属端子１８０は格納式であってもよい。金属端子１８０は、ベース１３４の第１の側の表面に垂直な位置からベース１３４の第１の側の表面に平行な位置までの９０°を折り畳み可能であってもよい。ベース１３４表面には溝１８２があって、金属端子１４０がベース１３４の第１の側の表面に平行に折り畳まれたときにベース１３４の第１の側の表面内に引っ込むようになっていてもよい。ベース１３４の第１の側の表面内に引っ込むと、金属端子１４０はベース１３４の第１の側の内部に完全に隠れてもよい。ベース１３４は１つ以上の空気取入れ口１９０を含むような寸法と形状となっていてもよい。空気取入れ口１９０は空気がベース１３４内に出入りすることを可能とするようになっていてもよい。いくつかの実施例では、空気取入れ口１９０は、小孔、通気口、スリット、又はベース１３４内への空気の出入りに有効な、ベース１３４内のその他の開口であってもよい。いくつかの実施例では、空気取入れ口１９０はベース１３４の第１の側にあってもよい。
【００１４】
図４は、本発明の一実施形態による空気清浄器１０２の２つのポートを示す正面図である。図１〜図３の部品と同じ符号のついた図４の部品は、簡潔とするために説明を繰り返さない。空気清浄器１０２はポート１０８とグリル付き通気口１１０を含んでいてもよい。ポート１０８はベース１３４の第２の側に含まれ、グリル付き通気口１１０はキャップ１１６内に含まれていてもよい。ポート１０８はユニバーサルシリアルバス（ＵＳＢ）ポートであって、キャップ１１６がベース１３４に取り付けられているときにアクセス可能となっていてもよい。キャップ１１６はリング形の断面を持ち、ベース１３４の第２の端部の周りでベース１３４に接続可能となるような寸法と形状であって、キャップ１１６を接続するとポート１０８にアクセス可能なようになっていてもよい。ポート１０８は正電極１０４と負電極１０６に電気的に結合されていてもよい。いくつかの実施例では、ポート１０８を車両のたばこライターソケット電極に接続すると、ポートが正電極１０４と負電極１０６（図１に示す）からの電流を給電されてもよい。別の実施例では、ポートを電気ソケットに差込むと金属端子１４０（図２〜図３に示す）から給電されてもよい。以下でより詳細に説明するように、キャップ１１６の通気口１１０は空気清浄器１０２から芳香を流出させるようになっていてもよい。
【００１５】
図５は、本発明の一実施形態による自動車用空気清浄器１０２の本体、ディスク及びキャップ覆いを示す斜視図である。図１〜図４の部品と同じ符号のついた図５の部品は、簡潔のために説明を繰り返さない。空気清浄器１０２は挿入部１３０、ベース１３４、ディスク１１４及びキャップ１１６を含んでもよい。挿入部１３０は正電極１０４と負電極１０６を含み、ベース１３４に取り付けられていてもよい。ベース１３４はＵＳＢポート１０８と、カラー１１８を含んでもよい。車両のたばこライターソケットから供給される電流は負電極１０６から正電極１０４を通ってＵＳＢポート１０８に電力を供給してもよい。
【００１６】
ディスク１１４は、芳香を浸透させた液体オイル、ジェル又は固体材料であってよい。芳香は、果物の香りや新車の匂いなどを含む任意の望ましい香りであってよい。ディスク１１４は、平坦なリング形状であって、カラー１１８の周りに嵌るようになっていてもよい。いくつかの実施例では、車両のたばこライターソケットから供給された電流が負電極１０６から正電極１０４に流れると、カラー１１８が加熱されてもよい。車両のたばこライターソケットから供給された電流によってカラー１１８が加熱されると、ディスク１１４から芳香が放出されてもよい。
【００１７】
キャップ１１６がベース１３４に取り付けられると、キャップ１１６がディスク１１４をカラー１１８とベース１３４に固定してもよい。キャップ１１６がベース１３４に付着して、ロック機構１２０によってベース１３４に固定されてもよい。いくつかの実施例では、ロック機構１２０は、キャップ１１６が嵌り込むことができる突起をベース１３４上に含んでいてもよい。いくつかの他の実施例では、ロック機構１２０はキャップ１１６をベース１３４上にねじ止めするのに有効なねじ山を含んでもよい。ディスク１１４の加熱によって放出される芳香はキャップ１１６内の通気口１１０を通って放散されて、空気清浄器１０２付近の空気を清浄化してもよい。
【００１８】
例えば挿入部１３０が車両のたばこライターソケットに差込まれて、正電極１０４と負電極１０６が車両のたばこライターソケットの電極に整列してもよい。電流は車両のたばこライターソケットから負電極１０６へ、そして空気清浄器１０２の回路を経由して正電極１０４へと流れてから車両のたばこライターソケットへ戻ってもよい。電流は直流であって１２Ｖであってもよい。空気清浄器１０２の回路は電流をＵＳＢポート１０８に供給するように構成されていてもよい。ＵＳＢポート１０８は接続されたＵＳＢケーブルに電力を供給し、接続されたＵＳＢケーブルに取り付けられたデバイスに電力を供給及び／又は充電する。空気清浄器１０２の回路はさらに、ベース１３４のカラー１１８に電流を供給して加熱するように構成されていてもよい。カラー１１８は、電流が負電極１０６から正電極１０４に流れるときに電流によって加熱されてもよい。電流で加熱されるとカラー１１８は、キャップ１１６によってカラー１１８の周りに配置されて固定されたディスク１１４へ熱を伝導する。ディスク１１４の加熱により、ディスク１１４の材料内部に浸透させた芳香が解放されてもよい。解放された芳香は大気中へ拡散してもよい。拡散された芳香を含む空気が通気口１１０から放散されて、空気清浄器１０２付近の空気に芳香を与えてもよい。
【００１９】
図６と図７は、本発明の一実施形態による、ファン１４０と通気カラー１４４を含む空気清浄器の斜視図を示す。図１〜図５の部品と同じ符号のついた図６の部品は、簡潔とするために説明を繰り返さない。いくつかの実施例では、空気清浄器１０２はファン１４０、通気カラー１４４及び充填カラム１４２を含んでもよい。様々な実施例において、ファン１４０はベース１３４内に取り付けられていてもよい。ファン１４０にはモータと１つ以上のブレードが含まれ、通気カラー１４４の通気口１４８を介して空気を送風するようになっていてもよい。ファン１４０は正電極１０４と負電極１０６に電気的に結合されていてもよい。例えば電気コンセントや車両のたばこライターなどの電源から供給される電流が負電極１０６から正電極１０４へ流れてファン１４０に電力を与えてもよい。様々な実施例において、ファン１４０は、ボタン、スイッチ又は空気清浄器１０２上のその他の機構を用いて、オン／オフされてもよい。通気カラー１４４が充填カラム１４２を含んでもよい。通気カラー１４４が第１の端部と第２の端部を含んでもよい。通気カラー１４４の第１の端部はベース１３４に付着していてもよい。通気カラー１４４の第２の端部はキャップ１１６に付着するようになっていてもよい。
【００２０】
充填カラム１４２はＵＳＢポート１０８を含んでもよい。いくつかの実施例では、図５のカラー１１８は充填カラム１４２の周りに形成されて、熱がディスク１１４に供給されるようになっていてもよい。ディスク１１４は充填カラム１４２及び／又はカラー１１８の周りに嵌め込まれるように構成されていてもよい。ディスク１１４は通気カラー１４４の通気口１４８の上に載るように配置されてもよい。ファン１４０は通気口１４８を介して空気を送風するようになっていてもよい。ファン１４０が動作している間、空気が空気取入れ口１９０から空気清浄器１０２内へ引き込まれるようになっていてもよい。ファン１４０によって通気口１４８を通って送風される空気は、ディスク１１４から解放された芳香と混ざって芳香を含む空気を生成するようになっていてもよい。芳香を含む空気はファン１４０によってキャップ１１６内の通気口１１０を通って送風され、空気清浄器１０２付近の空気を清浄化してもよい。
【００２１】
いくつかの実施例では、通気カラー１４４がキャップ１１６に付着していて、ロック機構１５０によってキャップ１１６に固定されていてもよい。ロック機構１５０はキャップを通気カラー１４４に固定してもよい。いくつかの実施例では、ロック機構１５０は、通気カラー１４４上の突起であって、そこにキャップ１１６が嵌り込むようになっていてもよい。いくつかの他の実施例では、ロック機構１５０はねじ山となっていて、キャップ１１６を通気カラー１４４上にねじ止めするのに有効となっていてもよい。同様に、通気カラーはロック機構１５２によってベース１３４に固定されてもよい。ロック機構１５２には、通気カラー１４４をベース１３４に取り付けるのに有効なねじ山及び／又は突起が含まれていてもよい。様々な実施例において、取り付け構造１４６を利用してファン１４０をベース１３４に取り付けてもよい。いくつかの実施例では取り付け構造１４６には、モールドされた取り付けロッド、ねじ又はベース１３４をファン１４０に固定するのに有効なその他の構造が含まれていてもよい。
【００２２】
図８は本発明の一実施形態による、金属端子を持つ空気清浄器１０２の斜視図である。図１〜図７の部品と同じ符号のついた図８の部品は、簡潔のために説明を繰り返さない。いくつかの実施例では、金属端子１８０を持つ実施形態においては、空気清浄器１０２は通気カラー１４４とファン１４０を含んでいて、空気清浄器１０２を電気コンセントに差し込むことができるようになっていてもよい。いくつかの実施例では、挿入部１３０が金属端子１８０を含んでいてもよい。金属端子１８０は、ベース１３４から軸方向に延びる電極及び／又は突起を含んでいてもよい。
【００２３】
図９はカップホルダ内に嵌るような寸法、形状及び構成となった空気清浄器１０２の正面図である。空気清浄器１０２はキャップ１１６を含んでいてもよい。キャップ１１６には通気口１１０が含まれていてもよい。いくつかの実施例では、空気清浄器１０２はポート１９２を含んでいてもよい。いくつかの実施例では、ポート１９２は正電極１０４及び／又は負電極１０６からの直流を供給するようになっていてもよい。直流は１２Ｖであってもよい。様々な実施例では、空気清浄器１０２は部分１９４を含んでもいてもよい。部分１９４は、カップホルダ内部にしっかりと嵌るような寸法と形状であってもよい。様々な実施例では、部分１９４はベース１３４に取り付けられていてもよいし、又はベース１３４の一部となっていてもよい。部分１９４を含む空気清浄器１０２の実施形態において、挿入部１３０はワイヤ１９６によって部分１９４及び／又はベース１３４に取り付けられていてもよい。ワイヤ１９６はポート１０８及び／又はポート１９２に電気的に結合されていてもよい。ワイヤ１９６は電源からポート１０８、１９２及び／又はファン１４０へ直流を流すようになっていてもよい。いくつかの実施例では、ファン１４０は、破線で示すように部分１９４の内側又はキャップ１１６内に配置されていてもよい。
【００２４】
図１０はカップホルダ内に嵌るように構成された空気清浄器１０２の斜視図である。いくつかの実施例では、ファン１４０は部分１９４に固定されていてもよい。他の実施例において、ファン１４０はベース１３４内に固定されていてもよい。様々な実施例において、ベース１３４は通気口１９８を含んでもいてもよい。通気口１９８は、ファン１４０で送風された空気をベース１３４から通気カラー１４４へ到達するようにさせてもよい。様々な実施例において、ディスク１１４が通気カラー１４４の通気口１４８上に配置されて、通気カラーを通る空気がディスク１１４と相互作用するようになっていてもよい。いくつかの実施例では、通気カラー１４４はさらに加熱カラム２００を含んでいてもよい。加熱カラム２００はディスク１１４へ熱を供給するようになっていてもよい。例えば、加熱カラム２００は加熱カラム２００内に配置された加熱要素によって加熱されてもよい。加熱要素は、正電極１０４及び／又は負電極１０６に結合されて、そこから電流を受けてもよい。ディスク１１４は加熱カラム２００の周りに嵌るようになっていてもよい。様々な実施例において、ファン１４０、ポート１０８、加熱カラム２００及び／又はポート１９２は正電極１０４と負電極１０６とに電気的に結合されていてもよい。様々な実施例において、ファン１４０、ポート１０８、加熱カラム２００及び／又はポート１９２は車両のたばこライターソケットの電極に接続されたときに、正電極１０４と負電極１０６からの電流によって電力を供給されてもよい。
【００２５】
多くのその他の潜在的な利点の中でも、本開示による装置は業務用のＵＳＢポートの使用を提供しつつ、車両内に所望の芳香を与えることができる。たばこライターソケットが１つの車両では、その１つのソケットッを２つ以上の目的で利用することが可能な場合もある。全地球測位システム装置（ＧＰＳ）、携帯電話充電器、メディアプレーヤなどのような複数の装置を、車両の空気を浄化しながらＵＳＢポートに取り付けることができる。空気清浄器内で通気カラーの下に配置されたファンは、空気清浄器からの芳香の放散を支援する。いくつかの実施例において、空気清浄器は自動車のカップホルダ内にしっかりと嵌るような寸法と形状になっていてもよい。
【００２６】
本明細書において様々な態様と実施形態を開示したが、その他の態様と実施形態が当業者には明らかであろう。本明細書に開示した様々な態様と実施形態は、説明を目的としたものであり、制限することを意図したものではない。真の範囲と趣旨とは以下の特許請求の範囲に示されている。
【図１】
0006572157.tif 000002
【図２】
0006572157.tif 000003
【図３】
0006572157.tif 000004
【図４】
0006572157.tif 000005
【図５】
0006572157.tif 000006
【図６】
0006572157.tif 000007
【図７】
0006572157.tif 000008
【図８】
0006572157.tif 000009
【図９】
0006572157.tif 000010
【図１０】
0006572157.tif 000011